(57)【特許請求の範囲】
【請求項１】
湯管及び水管が収容された手摺の中途部に装着され、水栓本体の内部に形成された収容室には機能ユニットが収容された手摺用水栓において、前記湯管と機能ユニット及び水管と機能ユニットとはそれぞれエルボにより接続することで、前記水栓本体は機能ユニットが収容される要部収容室が手摺と異なる軸線上に形成され、機能ユニットと同一軸線上に開口孔が形成され、開口孔から要部収容室に機能ユニットを着脱自在に装着したことを特徴とする手摺用水栓。
【請求項２】
前記機能ユニットは湯水の温度を調節する温度調節部材を備え、水栓本体の開口孔から着脱自在に装着したことを特徴とする請求項１記載の手摺用水栓。
【請求項３】
前記機能ユニットは湯水の温度を調節する温度調節部材と、湯水の流量を調節する流量調節部材とを備え、水栓本体の左右両側に形成された各開口孔から着脱自在に装着したことを特徴とする請求項１又は請求項２記載の手摺用水栓。 
【発明の詳細な説明】
【技術分野】
【０００１】
本発明は、浴室等に取り付けられる手摺に対し、一体に装着される手摺用水栓に関するものである。
【背景技術】
【０００２】
通常、浴室には湯水を吐水管又はシャワーヘッドから吐出させる水栓が取り付けられており、さらに高齢者や身体不自由者が立ち上がったり、浴槽と洗い場との間を移動する場合の補助として、手摺を浴室の壁面に沿って取り付けることがある。ここで、水栓は通常、縦壁又は洗い場のカウンター等に取り付けられるが、特許文献１では、浴室に取り付けられる手摺に対し水栓を一体となるように装着している。
【０００３】
この特許文献１について説明すると、水栓装置は手摺バー本体と、この手摺バー本体の中途部に取り付けられた水栓機構部とから構成され、手摺バー本体の内部には、水が導入される水導入管と、湯が導入される導入管とが設けられている。前記水栓機構部は、両導入管から水と湯とが導入される水栓本体と、この水栓本体の両端部に軸回りに回動自在に軸支された切換ノブ及び温度調節ノブと、水栓本体の下面部に水平回動自在に軸支されたカランと、水栓本体の背面側に開設されたシャワー側吐出口とから構成されている。従って、切換ノブと温度調節ノブとを操作することで、所望温度の湯水をカラン又はシャワー側吐出口から吐出させることができるものである。  
【０００４】
【特許文献１】特開平８−１３５５９号公報
【発明の開示】
【発明が解決しようとする課題】
【０００５】
前記特許文献１においては、手摺バー本体と水栓機構部とは同一軸線上に取り付けられており、水栓機構部に収容されている混合部材のメンテナンスや交換を行なうには、混合部材のみを手摺バー本体から単独で取り外すことができない。混合部材は例えばサーモスタット式のように、湯水の温度調節や流量調節を正確に行なうことができるものほどその構造が複雑となり、導入管を通過する水又は湯に異物が含まれていると、その異物が付着しやすくなる。そのため、混合部材のメンテナンスを定期的に行なったり、部品の交換が必要となる場合があるが、この場合、混合部材のみを手摺バー本体から取り出すことができず、手摺バー本体を分解する必要があり、大掛かりな作業となってしまうという問題があった。
【０００６】
この発明は、このような従来の技術に存在する問題点に着目してなされたものであり、その目的は、手摺の中途部に一体に装着される手摺用水栓において、水栓本体に収容される機能ユニットのメンテナンスや交換作業を、水栓本体と手摺とが一体の状態のままで効率的に行なえるようにすることである。
【課題を解決するための手段】
【０００７】
上記課題を達成するため、請求項１記載の発明では、湯管及び水管が収容された手摺の中途部に装着され、水栓本体の内部に形成された収容室には機能ユニットが収容された手摺用水栓において、前記湯管と機能ユニット及び水管と機能ユニットとはそれぞれエルボにより接続することで、前記水栓本体は機能ユニットが収容される要部収容室が手摺と異なる軸線上に形成され、機能ユニットと同一軸線上に開口孔が形成され、開口孔から要部収容室に機能ユニットを着脱自在に装着したものである。 
【０００８】
請求項２に記載の発明では請求項１記載の発明において、前記機能ユニットは湯水の温度を調節する温度調節部材を備え、水栓本体の開口孔から着脱自在に装着したものである。
【０００９】
請求項３記載の発明では、請求項１又は請求項２記載の発明において、前記機能ユニットは湯水の温度を調節する温度調節部材と、湯水の流量を調節する流量調節部材とを備え、水栓本体の左右両側に形成された各開口孔から着脱自在に装着したものである。
【発明の効果】
【００１０】
請求項１に記載の発明では、湯管及び水管が収容された手摺の中途部に装着され、水栓本体の内部に形成された収容室には機能ユニットが収容された手摺用水栓において、前記湯管と機能ユニット及び水管と機能ユニットとはそれぞれエルボにより接続することで、前記水栓本体は機能ユニットが収容される要部収容室が手摺と異なる軸線上に形成され、機能ユニットと同一軸線上に開口孔が形成され、開口孔から要部収容室に機能ユニットを着脱自在に装着したため、機能ユニットを水栓から取り出したり装着する作業をこの開口孔から行なうことができ、機能ユニットのメンテナンス又は交換を効率よく行なうことができる。 
【００１１】
請求項２に記載の発明では、機能ユニットは湯水の温度を調節する温度調節部であるため、湯又は水に含まれる異物がこの温度調節部に付着しやすく、メンテナンスや交換を頻繁に行なう必要があるが、このメンテナンスや交換を容易に行なうことができる。
【００１２】
請求項３に記載の発明では、機能ユニットの温度調節部と流量調節部とが別物品であるため、その一方のみを要部収容室から取り出してメンテナンスや交換を行なうことができる。
【発明を実施するための最良の形態】
【００１３】
以下、本発明を具体化した実施例を図に基づいて詳細に説明する。
図１に示すように、手摺Ａは略円柱状で横長に形成され、その表面部１はメッキ又は塗装が施されており、浴室に立設された縦壁Ｂの前方で、その縦壁Ｂに沿って略水平方向に取り付けられている。手摺Ａの左右両側の各基端部には、給湯源と連通し湯を導入するための湯導入管２と、給水源と連通し水を導入するための水導入管３とがそれぞれ接続され、両導入管２，３は縦壁Ｂに対し例えばナットによりそれぞれ固定されている。横長に形成された手摺Ａの長手方向中途部には、本発明の水栓Ｃが装着されている。
【００１４】
図２に示すように前記手摺Ａの内部は中空状で、その内部に空間部４が形成され、この空間部４の長手方向に、前記湯導入管２と連通して湯が導入される湯管５と、前記水導入管３と連通して水が導入される水管６とが収容されている。湯管５と水管６とは手摺Ａよりその外径は小径の円筒状であり、手摺Ａの表面部１とは空間部４内で適度の間隔が設けられるようにしている。このように湯管５と水管６とは手摺Ａの空間部４に二重構造となるように収容されることで、手摺Ａで覆い隠され美観が向上するうえ、湯の通過時に熱湯により湯管５が加熱することがあってもその熱は手摺Ａの表面部１に伝達されず、使用者が手摺Ａに触れることにより発生する火傷を防止することができる。
【００１５】
前記湯管５，水管６の端末は、手摺Ａの中途部に装着された水栓Ｃに接続されている。この水栓Ｃはその外形を形成する水栓本体１０が中空状で横長の略箱型に形成され、水栓本体１０の内部に胴体部１１とエルボ１４，１５とが収容されている。
【００１６】
前記水栓本体１０は手摺Ａと略同一軸線上である背面収容室１２と、手摺Ａの表面部１から外周方向に突出して背面収容室１２の下部である要部収容室１２ａとがそれぞれ形成されている。背面収容室１２には、その左右両側に第１開口孔１３，１３ａがそれぞれ穿設され、この第１開口孔１３、１３ａはその外径が手摺Ａの外径と略同一、または手摺Ａより大径である。また、前記要部収容室１２ａは、その左右両側に第２開口孔１３ｂ，１３ｃがそれぞれ穿設されている。背面収容室１２には前記湯管５と接続される湯エルボ１４と、前記水管６と接続される水エルボ１５とが収容され、両エルボ１４，１５は要部収容室１２ａに向けて接続部１６，１６ａがそれぞれ形成されている
【００１７】
前記水栓本体１０の要部収容室１２ａには胴体部１１が収容され、前記エルボ１４，１５に形成された各接続部１６，１６ａは胴体部１１の背面側と接続している。要部収容室１２ａには機能ユニット１７が収容されている。機能ユニット１７は湯エルボ１４と水エルボ１５とから導入される湯と水とを混合することで、湯水の温度調節と流量調節とを行なうものであり、その一例として本実施例では左側に温度調節部材１７ａ、右側にこの温度調節部材１７ａと連繋した流量調節部材１７ｂがそれぞれ設けられている。
【００１８】
前記温度調節部材１７ａは、湯エルボ１４と水エルボ１５とから導入される湯と水との混合割合を調節するものであり、その左側にはスピンドル１８が突出して取り付けられている。このスピンドル１８は前記第２開口孔１３ｂを挿通して胴体部１１及び水栓本体１０から外部に突出し、第２開口孔１３ｂを挿通して胴体部１１に対し外側から螺着されるナット１９により、要部収容室１２ａに着脱自在に装着される。温度調節部材はその一例として例えば、形状記憶合金、又はサーモスタット弁を収容することで、湯水の温度を自動的に調節する機能を持たせたものが考えられる。
【００１９】
前記流量調節部材１７ｂはその右側にスピンドル１８ａが突出して取り付けられ、このスピンドル１８ａは前記第２開口孔１３ｃを挿通して胴体部１１及び水栓本体１０から外部に突出し、第２開口孔１３ｃを挿通して胴体部１１に対し外側から螺着されるナット１９ａにより、要部収容室１２ａに着脱自在に装着される。温度調節部材１７ａと流量調節部材１７ｂとは、そのスピンドル１８，１８ａに温度調節ハンドル２０と流量調節ハンドル２１とがそれぞれ連繋して、互いのハンドル２０，２１は水栓本体１０を挟んで左右対称となるように取り付けられている。また、図３に示すように水栓Ｃはその水栓本体１０の正面略中央底面に、機能ユニット１７により温度及び流量が調節された湯水を外部へ吐水するための吐水管２２が設けられている。
【００２０】
なお、本実施例の機能ユニットは、温度調節部材と流量調節部材とからなるが、本実施例の他に、左側は湯の流量を調節する湯流量調節部材、右側は水の流量を調節する湯流量調節部材としたり、温度調節部材と流量調節部材とを一体のユニットとしたり、その他適宜の湯と水とを混合する構造を適用することができる。また、水栓の手摺に対する取付位置は、本実施例のように要部収容室が下部となるだけでなく、前部または上部であってもよい。
【００２１】
本発明の水栓Ｃは手摺Ａに対し一体に装着されているが、図２に示すように、例えば機能ユニット１７が収容されている要部収容室１２ａは、手摺Ａと軸線方向が異なり、手摺Ａより下部に形成されているため、水栓Ｃは手摺Ａに装着された状態のままで、機能ユニット１７のみを水栓Ｃの水栓本体１０から着脱自在である。従って、図３に示すように、水栓Ｃは手摺Ａに対し一体に装着されているが、機能ユニット１７のメンテナンスが必要な場合には、水栓本体１０の胴体部１１からハンドル２０，２１とナット１９，１９ａとを取り外し、機能ユニット１７を胴体部１１から取り出してメンテナンスや、不具合が発生した場合の交換を円滑に行うことができる。
【図面の簡単な説明】
【００２２】
【図１】この発明の手摺用水栓が浴室の縦壁に装着された状態の説明図である。
【図２】手摺用水栓の概略説明図である。
【図３】手摺用水栓から機能ユニットを取り出した状態の説明図である。
【符号の説明】
【００２３】
１０              水栓本体
１２ａ            要部収容室
１３ａ，１３ｂ    第１開口孔
１７              機能ユニット
Ａ                手摺
Ｃ                水栓
【図１】
0004753730.tif 000002
【図２】
0004753730.tif 000003
【図３】
0004753730.tif 000004